(57)【要約】【課題】表示パネルの電極端子とフレキシブル配線基板の配線端子とが剥離するのを容易に防止して良好な導通を図り、ひいては表示パネルとフレキシブル配線基板との導通不良を防止することができるとともに、表示パネルおよびライトユニットを内部に確実に収納することができる高品質の表示体用枠体を提供する。【解決手段】ライトユニット２および液晶表示パネル９を収納する収納部５と、液晶表示パネル９を収納部５の内部に押圧する蓋部１９とを備え、収納部５および蓋部１９を、両者の一端部側において一体的に形成し、ライトユニット２および液晶表示パネル９の収納時に両者の他端部側において相互に係止させる。【選択図】      図３
2007206252.tif 000002
【特許請求の範囲】
【請求項１】
光源からの照射光を表示パネルに照射するライトユニットおよび前記表示パネルを重ねて収納保持する表示体用枠体において、
前記ライトユニットおよび前記表示パネルを収納する収納部と、前記表示パネルを前記収納部の内部に押圧する蓋部とを備え、前記収納部および前記蓋部は、両者の一端部側において一体的に形成され、前記ライトユニットおよび前記表示パネルの収納時に前記両者の他端部側で相互に係止されていることを特徴とする表示体用枠体。
【請求項２】
前記表示パネルには、フレキシブル配線基板がその一端側において接続され、該フレキシブル配線基板は折曲されて、その他端側が前記表示体用枠体の反視認側に配置されている請求項１に記載の表示体用枠体。
【請求項３】
前記蓋部の一端部側は、前記収納部の一端部側において一体的に形成された蝶番により連結されており、前記蓋部の他端部側は、該他端部側に形成された第一係合部と、前記収納部の他端部側に形成された第二係合部とによって係止されている請求項１に記載の表示体用枠体。
【発明の詳細な説明】
【技術分野】
【０００１】
本発明は表示体用枠体に係り、特に、光源と導光板とを有するライトユニットおよび表示パネルを重ねて収納保持する表示体用枠体に関する。
【背景技術】
【０００２】
一般に、液晶表示装置においては、液晶表示パネルに照射光を照射するライトユニットが備えられている。
【０００３】
図４は、従来のライトユニット等を収納保持する表示体用枠体の一例を示す模式的斜視図であり、図５は、図４の表示体用枠体内にライトユニットおよび液晶表示パネルを収納した場合を示すＢ−Ｂ線における模式的断面図である。ここでは、ライトユニットおよび液晶表示パネルが、前記液晶表示パネルが視認側になるように重ねて収納保持されている。以下、この例について説明する。
【０００４】
図４および図５に示すように、従来の表示体用枠体３０の内部には、反射フィルム３２および導光板３３が積層して配設されている。導光板３３の近傍には、導光板３３の側面に対して照射光を照射する光源３４が配設されており、導光板３３の視認側には、拡散フィルム３５ａやプリズムフィルム３５ｂ等の光学フィルム３５が積層して配設されている。
【０００５】
光学フィルム３５の視認側には、遮光機能を有する遮光両面テープ３７が配設されており、遮光両面テープ３７のうち液晶表示パネル３８の表示領域に対向する部分には、テープ開口部３７ａが形成され、テープ開口部３７ａを透過して液晶表示パネル３８に導光板３３から導光された照射光が照射されるようになっている。この遮光両面テープ３７は、遮光両面テープ３７を光学フィルム３５および表示体用枠体３０の周縁部に貼着させることにより、反射フィルム３２、導光板３３および各光学フィルム３５を表示体用枠体３０の内部に固定するようになっている。そして、これら反射フィルム３２、導光板３３、光源３４および光学フィルム３５等により、液晶表示パネル３８に光源３４からの照射光を照射するライトユニット３１が構成されている。
【０００６】
表示体用枠体３０の内部における遮光両面テープ３７の視認側には、液晶表示パネル３８が収納されるようになっており、液晶表示パネル３８の両面における表示領域には、表示領域よりも平面形状が少し大きい形状の偏光板４５がそれぞれ設けられている。そして、反視認側の偏光板４５が遮光両面テープ３７に貼着されており、これにより、液晶表示パネル３８は、表示体用枠体３０の内部に固定されるようになっている。
【０００７】
また、一般に、表示体用枠体３０の内部に収納された液晶表示パネル３８に駆動電圧等の電力を供給するため、液晶表示パネル３８の電極端子４０は、フレキシブル配線基板４１の一端部４１ａに配置された配線端子４３に導電接続されており、このフレキシブル配線基板４１の他端部４１ｂは、表示体用枠体３０の外側に延出して配置され、前記表示体用枠体３０の外面に両面テープ４２によって貼着されている（例えば、特許文献１参照）。
【０００８】
そして、フレキシブル配線基板４１の他端部４１ｂに配置された配線端子４３は、外部電源に導電接続されている。
【０００９】
しかし、前述の収納態様によれば、液晶表示パネル３８の電極端子４０に接続されたフレキシブル配線基板４１が折曲されて、その他端部４１ｂが表示体用枠体３０の外面に貼着されており、このフレキシブル配線基板４１が折曲されることによるフレキシブル配線基板４１の反発力により、フレキシブル配線基板４１の配線端子４３と液晶表示パネル３８の電極端子４０との接続箇所に剥離が生じることがあり、前記配線端子４３と前記電極端子４０との接続不良が発生してしまうおそれがあるという問題を有していた。
【００１０】
さらには、遮光両面テープ３７にはテープ開口部３７ａが形成されているので、遮光両面テープ３７と液晶表示パネル３８における偏光板４５との貼着幅が狭い。このため、フレキシブル配線基板４１の折曲による反発力により、液晶表示パネル３８が遮光両面テープ３７から剥離して視認側に浮いてしまい、液晶表示パネル３８を表示体用枠体３０の内部に確実に収納するのが困難であることがあった。このような場合には、前記収納態様の表示体用枠体３０に隣接して配設される他の電子部品に当接し、破損させてしまうおそれもあるという問題を有していた。
【００１１】
【特許文献１】特開２００５−２６６１１０号公報
【発明の開示】
【発明が解決しようとする課題】
【００１２】
本発明はこれらの点に鑑みてなされたものであり、電極端子と配線端子との接続部が剥離するのを容易に防止して良好な導通を図り、表示パネルとフレキシブル配線基板の導通不良を防止するとともに、ライトユニットと表示パネルを確実に収納することができる表示体用枠体を提供することを目的とする。
【課題を解決するための手段】
【００１３】
前記目的を達成するため、本発明に係る表示体用枠体の特徴は、光源からの照射光を表示パネルに照射するライトユニットおよび前記表示パネルを重ねて収納保持する表示体用枠体において、前記ライトユニットおよび前記表示パネルを収納する収納部と、前記表示パネルを前記収納部の内部に押圧する蓋部とを備え、前記収納部および前記蓋部は、両者の一端部側において一体的に形成され、前記ライトユニットおよび前記表示パネルの収納時に前記両者の他端部側で相互に係止されている点にある。
【００１４】
この本発明によれば、前記表示パネルに接続されるフレキシブル配線基板が表示体用枠体の外側に延出して配置され、収納部の外面に貼着されても、表示体用枠体の内部に収納された表示パネルを、一体的に形成された収納部および蓋部を相互に係止することによって表示体用枠体の内部に容易に押さえ込むことができるる。これにより、フレキシブル配線基板の一端部が、表示パネルの電極端子から剥離してしまうのを防止することができる。また、表示パネルが表示体用枠体の内部から浮き上がってしまうのを防止することができる。
【００１５】
さらに、収納部と蓋部とは一体的に形成されているので、表示体用枠体を容易に形成することができ、収納部と蓋部とが分離してしまうことなく容易に収納部と蓋部とを係止することができる。
【００１６】
本発明は、前記表示パネルに、フレキシブル配線基板がその一端側において接続され、該フレキシブル配線基板は折曲されて、その他端側が前記表示体用枠体の反視認側に配置されている形態に適用されるのが好ましい。
【００１７】
また、前記蓋部の一端部側が、前記収納部の一端部側において一体的に形成された蝶番により連結されており、前記蓋部の他端部側は、該他端部側に形成された第一係合部と、前記収納部の他端部側に形成された第二係合部とによって係止されている態様が好ましい。第一係合部と第二係合部は、例えば、爪部と窪み部との組合せなどが採用される。以下の実施形態においては、第一係合部を爪部とし、第二係合部を窪み部とした例を説明するが、本実施形態に限定されるものではなく、第一係合部と窪み部とし、第二係合部を爪部とする等の変更が可能である。
【００１８】
これにより、収納部に収納された表示パネルを、蝶番を介して蓋部によって押圧して保持することができ、収納部の第二係合部（例は窪み部）と蓋部の第一係合部（例は爪部）とを係合させることにより、収納部と蓋部とを容易かつ確実に係止させることができる。
【発明の効果】
【００１９】
以上述べたように、本発明に係る表示体用枠体によれば、表示パネルの電極端子とフレキシブル配線基板の配線端子とが剥離するのを容易に防止して良好な導通を図り、ひいては表示パネルとフレキシブル配線基板との導通不良を防止することができるとともに、ライトユニットおよび表示パネルを内部に確実に収納することができる高品質の表示体用枠体を提供することが可能となる。
【発明を実施するための最良の形態】
【００２０】
以下、本発明に係る表示体用枠体へのライトユニットおよび表示パネルの収納保持の一実施形態を図１から図３を参照して説明する。
【００２１】
ここで、本実施形態においては、表示体用枠体の内部に液晶表示パネルおよびバックライトユニットを収納保持する場合について、液晶表示パネルの配置側を視認側として説明するが、本発明は、これに限定されるものではない。
【００２２】
図１は、本実施形態に係る表示体用枠体内への収納態様を示す斜視図であり、図２は、図１の収納態様の模式的分解斜視図である。
【００２３】
図１および図２に示すように、本実施形態に係る表示体用枠体１は、四角形状の底壁３および底壁３の各側縁部から立設する側壁４を備えた樹脂材料等からなる収納部５を備えている。
【００２４】
収納部５の内部には、平板状の導光板７が配設されており、導光板７の近傍であって収納部５の一端側には、導光板７の一側面に対向するようにＬＥＤ等の光源８が配設されている。そして、図３に示すように、導光板７は、光源８からの照射光を液晶表示パネル９に導光するようになっている。
【００２５】
収納部５の内部における導光板７の反視認側には、照射光を視認側に反射するための反射フィルム１０が配設されている。
【００２６】
さらに、収納部５の内部における導光板７の視認側には、光学フィルム１２として、導光板７から液晶表示パネル９に導光された照射光を拡散する拡散フィルム１２ａ、および前記照射光を屈折させたり分散させるプリズムフィルム１２ｂが積層して配設されている。
【００２７】
光学フィルム１２の視認側には、導光板７から導光された照射光を遮光する遮光両面テープ１４が配設されており、遮光両面テープ１４のうち液晶表示パネル９の表示領域に対向する部分には、テープ開口部が形成され、前記照射光を、テープ開口部を介して液晶表示パネル９の表示領域に照射するようになっている。
【００２８】
この遮光両面テープ１４の１面における周縁部は、視認側に配置された光学フィルム１２および収納部５の底壁３の周縁部に貼着されており、これにより、遮光両面テープ１４は、反射フィルム１０、導光板７および各光学フィルム１２を収納部５の内部に固定するようになっている。そして、導光板７、光源８、反射フィルム１０および光学フィルム１２等により、ライトユニット２が構成されている。
【００２９】
収納部５の内部におけるライトユニット２の視認側には、液晶表示パネル９が収納されるようになっており、液晶表示パネル９の両面における表示領域には、表示領域よりも平面形状が少し大きい形状の偏光板２６がそれぞれ設けられている。そして、反視認側の偏光板２６は、遮光両面テープ１４に貼着されており、これにより、液晶表示パネル９は、収納部５の内部に固定されるようになっている。
【００３０】
液晶表示パネル９の電極端子２３には、フレキシブル配線基板１６の一端部１６ａに配置された配線端子２４が導電接続されており、このフレキシブル配線基板１６の他端部１６ｂは、１つの側壁４に形成された第２開口５ｂから収納部５の外側に延出して配置され、収納部５の外面に両面テープ１７によって貼着されている。
【００３１】
そして、フレキシブル配線基板１６の他端部１６ｂに配置された配線端子２４は、外部電源（図示せず）に導電接続されている。
【００３２】
また、表示体用枠体１、樹脂材料等からなる平板状の蓋部１９を備え、蓋部１９は、収納部５の第１開口５ａを被覆して液晶表示パネル９を視認側から押さえるようになっており、蓋部１９における液晶表示パネル９の表示領域に対向する位置には、蓋部開口部１９ａが形成されている。
【００３３】
収納部５と蓋部１９とは、樹脂材料等からなる２つの蝶番２１により連結されており、収納部５、各蝶番２１および蓋部１９は、一体的に形成されている。
【００３４】
収納部５における各蝶番２１が設けられた側壁４に対向する側壁４には、２つの窪み部５ｃが形成されており、収納部５の第２開口５ｂに蓋部１９を被覆したときこの蓋部１９における各窪み部５ｃに対向する位置には、各窪み部５ｃに係合させる爪部１９ｂが形成されている。そして、収納部５と蓋部１９とは、各窪み部５ｃに各爪部１９ｂを係合させることにより、蓋部１９を収納部５の第２開口５ｂに被覆した状態に固定するようになっており、これにより、蓋部１９によって収納部５の内部に収納された液晶表示パネル９を押圧して保持するようになっている。
【００３５】
前記の実施形態において、蝶番２１と各窪み部５ｃおよび各爪部１９ｂとの形成位置を逆にすることができ、また、窪み部５ｃと爪部１９ｂの形成位置を逆にすることもできる。通常は、収納部５と蓋部１９との係止は前記実施形態のように第一係合部（例は爪部）と第二係合部（例は窪み部）との組合せが採用されるが、他の係合態様であってもよい。
【００３６】
次に、本実施形態の作用について説明する。
【００３７】
本実施形態によれば、フレキシブル配線基板１６が表示体用枠体１の外側に延出して配置され、収納部５の外面に貼着されても、表示体用枠体１の内部に収納された液晶表示パネル９を、一体的に形成された収納部５および蓋部１９を相互に係止することによって表示体用枠体１の内部に容易に押さえ込むことができるので、フレキシブル配線基板１６の一端部１６ａの配線端子２４が、液晶表示パネル９の電極端子２３から剥離してしまうのを防止することができる。また、液晶表示パネル９が表示体用枠体１の内部から浮き上がってしまうのを防止することができる。
【００３８】
さらに、収納部５と蓋部１９とは一体成形されているので、表示体用枠体１を容易に形成することができ、収納部５と蓋部１９とが分離してしまうことなく容易に収納部５の第１開口５ａを蓋部１９によって被覆することができる。
【００３９】
したがって、電極端子２３と配線端子２４とが剥離するのを容易に防止して良好な導通を図り、ひいては液晶表示パネル９とフレキシブル配線基板１６との導通不良を防止することができるとともに、液晶表示パネル９とライトユニット２を表示体用枠体１の内部に確実に収納することができ、これにより、高品質の表示体用枠体１を提供することが可能となる。
【００４０】
また、蝶番２１を介して容易に収納部５の第１開口５ａを蓋部１９によって被覆することができ、収納部５の窪み部５ｃと蓋部１９の爪部１９ｂとを係合させることにより、収納部５と蓋部１９とを容易かつ確実に係止させることができる。これにより、液晶表示パネル９とライトユニット２とを表示体用枠体１の内部に確実に押圧して保持することができるとともに、液晶表示パネル９の電極端子２３とフレキシブル配線基板１６の配線端子２４との剥離を確実に防止することができる。
【００４１】
なお、本発明は前記実施形態に限定されるものではなく、必要に応じて種々変更することが可能である。
【図面の簡単な説明】
【００４２】
【図１】本発明に係る表示体用枠体の一実施形態を示す斜視図
【図２】図１の表示体用枠体を用いた収納態様を示す模式的分解斜視図
【図３】図１の表示体用枠体にライトユニットおよび表示パネルを収納した場合を示すＡ−Ａ線における模式的断面図
【図４】従来の表示体用枠体の一例を示す斜視図
【図５】図４の表示体用枠体にライトユニットおよび表示パネルを収納した場合を示すＢ−Ｂ線における模式的断面図
【符号の説明】
【００４３】
１  表示体用枠体
２  ライトユニット
３  底壁
４  側壁
５  収納部
５ａ  第１開口
５ｂ  第２開口
５ｃ  窪み部
７  導光板
８  光源
９  液晶表示パネル
１０  反射フィルム
１２  光学フィルム
１２ａ  拡散フィルム
１２ｂ  プリズムフィルム
１４  遮光両面テープ
１４ａ  テープ開口部
１６  フレキシブル配線基板
１６ａ  一端部
１６ｂ  他端部
１７  両面テープ
１９  蓋部
１９ａ  蓋部開口部
１９ｂ  爪部
２１  蝶番
２３  電極端子
２４  配線端子
２６  偏光板
【図１】
2007206252.tif 000003
【図２】
2007206252.tif 000004
【図３】
2007206252.tif 000005
【図４】
2007206252.tif 000006
【図５】
2007206252.tif 000007